(57)【要約】【課題】本発明の課題は、ネットワーク接続されていない設備のデータを、所望の装置に、迅速に、伝達するシステムを提供することである。【解決手段】記憶する宛先情報を含む管理データをＩＣカードに送信する利用設備と、利用設備から、管理データを受信保持して、ゲート管理装置から、管理データ送信要求を受信して、管理データを返信するＩＣカードと、管理データ送信要求をＩＣカードに送信して、返信された管理データを受信して、この管理データに含まれる宛先情報が指定する情報処理サーバ装置に、前記受信された管理データを、転送するゲート管理装置と、ゲート管理装置から、管理データを、受信記録する情報処理サーバ装置と、を備えることを特徴とするデータ伝達システムである。【選択図】図１
2008112350.tif 000002
【特許請求の範囲】
【請求項１】
接触型、または、非接触型ＩＣカードと、利用設備と、ネットワーク接続されたゲート管理装置と情報処理サーバ装置から構成されるデータ伝達システムであって、
前記利用設備は、
宛先情報を含む管理データを記憶する記憶手段と、
前記管理データをＩＣカードに送信する管理データ送信手段と、
を備える設備であって、
前記ＩＣカードは、
前記利用設備から、管理データを受信する管理データ受信手段と、
前記受信された管理データを保持する管理データ保持手段と、
ゲート管理装置から、管理データ送信要求を受信して、管理データを返信する管理データ返信手段と、
管理データを削除する管理データ削除手段と、
を備えるＩＣカードであって、
前記ゲート管理装置は、
管理データ送信要求をＩＣカードに送信する管理データ送信要求手段と、
ＩＣカードから、管理データを受信して、この管理データに含まれる宛先情報が指定する情報処理サーバ装置に、前記受信された管理データを、転送する管理データ転送手段と、
を備えるゲート管理装置であって、
前記情報処理サーバ装置は、
ゲート管理装置から、管理データを、受信する管理データ受信手段と、
前記受信された管理データを記録する管理データ記録手段と、
を備えるサーバ装置である、
ことを特徴とするデータ伝達システム。
【請求項２】
宛先情報を含む管理データを用いるデータ伝達方法であって、
前記管理データを、送信する管理データ送信ステップと、
前記送信された管理データを受信して、保持する管理データ保持ステップと、
送信された管理データ送信要求を受信して、前記保持された管理データを返信する管理データ返信ステップと、
前記送信された管理データを受信して、これに含まれるあて先情報に、前記受信された管理データを、転送する管理データ転送ステップと、
前記転送された管理データを受信して記録する管理データ記録ステップと、
を含んだ手順でなされることを特徴とするデータ伝達方法。
【発明の詳細な説明】
【技術分野】
【０００１】
本発明は、記録媒体（たとえば、ＩＣカード）を用いて、ネットワーク接続さていない設備の稼動状況を伝えるシステム、および、その方法に関するものである。
【０００２】
従来から、ＩＣカードを用いて、2つの機器の間で、データを交換している。
【背景技術】
【０００３】
たとえば、特許文献１では、金融機関の入出金履歴の情報を、ＩＣカードに記録して、これを、家庭にある家計管理システムで、読み取らせて、家計を管理する技術が開示されている。（従来技術１）
特許文献２では、管理対象空間で検知されたＩＣカードのＩＤ情報を、所定の管理装置が、記録することで、ＩＣカードの所在を管理する技術が開示されている。（従来技術２）
【特許文献１】特開平９−１０６４２２号公報（２〜３ページ、図１）
【特許文献２】特開２００５−２７５５１６号公報（２〜３ページ、図１）
【発明の開示】
【発明が解決しようとする課題】
【０００４】
ところで、従来技術１では、ＩＣカードに記録された情報は、情報を利用するシステム（＝家計管理システム）に、直接読み取らせて利用していた。そのためＩＣカードを直接システムに読み込ませないと情報を利用できないという問題点があった。
また、従来技術２では、ＩＣカードに記録された情報を所望の装置が取得できないという欠点があった。
【０００５】
本発明はこのような従来技術を考慮してなされたものであって、本発明の課題は、ネットワーク接続されていない設備のデータを、所望の装置に、迅速に、伝達するシステムを提供することである。
【課題を解決するための手段】
【０００６】
本発明は、以下のような解決手段により、前記課題を解決する。すなわち、請求項１の発明は、接触型、または、非接触型ＩＣカードと、利用設備と、ネットワーク接続されたゲート管理装置と情報処理サーバ装置から構成されるデータ伝達システムであって、前記利用設備は、宛先情報を含む管理データを記憶する記憶手段と、前記管理データをＩＣカードに送信する管理データ送信手段と、を備える設備であって、前記ＩＣカードは、前記利用設備から、管理データを受信する管理データ受信手段と、前記受信された管理データを保持する管理データ保持手段と、ゲート管理装置から、管理データ送信要求を受信して、管理データを返信する管理データ返信手段と、管理データを削除する管理データ削除手段と、を備えるＩＣカードであって、前記ゲート管理装置は、管理データ送信要求をＩＣカードに送信する管理データ送信要求手段と、ＩＣカードから、管理データを受信して、この管理データに含まれる宛先情報が指定する情報処理サーバ装置に、前記受信された管理データを、転送する管理データ転送手段と、を備えるゲート管理装置であって、前記情報処理サーバ装置は、ゲート管理装置から、管理データを、受信する管理データ受信手段と、前記受信された管理データを記録する管理データ記録手段と、を備えるサーバ装置である、ことを特徴とするデータ伝達システムである。
【０００７】
ここで、ネットワーク接続さていない利用設備の管理データは、ＩＣカードを経由して、管理データに含まれる所望の宛て先に、転送することが可能となる。このとき、管理データは、ＩＣカードが、管理領域を退場するときに、迅速に、転送される。
【０００８】
請求項２の発明は、
宛先情報を含む管理データを用いるデータ伝達方法であって、送信された管理データを受信して、保持する管理データ保持ステップと、送信された管理データ送信要求を受信して、管理データを返信する管理データ返信ステップと、前記返信された管理データを受信して、これに含まれるあて先情報に、前記受信された管理データを、転送する管理データ転送ステップと、前記転送された管理データを受信して記録する管理データ記録ステップと、を含んだ手順でなされることを特徴とするデータ伝達方法である。
【発明の効果】
【０００９】
本願発明によれば、ユーザがＩＣカードで使用した設備の稼動状況をＩＣカードに記録保存し、ユーザが利用した設備が設置されている部屋をでるときに通過するゲートに、ＩＣカードをかざすことによって、稼動状況のデータを所望の装置に転送することが可能になる。
【発明を実施するための最良の形態】
【００１０】
（実施例）
以下、図面等を参照しながら、本発明の実施の形態について、更に詳しく説明する。
図１は、データ伝達システム１の概要を説明する図である。データ伝達システム１は、接触型、または、非接触型ＩＣカード１００と、利用設備３００（たとえば、自動販売機）と、ネットワーク接続されたゲート管理装置５００（たとえば、自動販売機が設置された建物のゲート）と情報処理サーバ装置７００（たとえば、自動販売機管理会社のサーバ装置）から構成される。
【００１１】
利用設備３００が自動販売機である場合、利用設備３００には在庫データ、販売個数、売上データ等が記録されている。利用設備３００にはICカード読書装置が備えられており、利用者がICカード１００を利用して缶ジュース、タバコ等を利用設備３００から購入すると、利用設備３００は、在庫データ、販売個数、売上げデータと、それらのデータの宛先を付けた管理データ３９３を利用者のＩＣカードに記録する。管理データ３９３は、データの送り先である宛先情報（たとえば、ＵＲＬ：自動販売機管理会社のサーバ装置の在庫データフォルダ名や売上データフォルダ名）、利用設備３００を特定するための送り元ＩＤ，管理データを特定するための管理データＩＤ、稼動状況を示す在庫データ、販売個数、売上げデータ等のデータを含むデータである。利用者がゲート管理装置５００のゲートを通過するときに、ＩＣカード１００をゲート管理装置のＩＣカード読書装置にかざしてゲートを開くと、ＩＣカード読書装置はＩＣカード１００から管理データ３９３を読取、宛先情報に従って管理データ３９３を転送する。
【００１２】
図２に基づいて、データ伝達システム１の処理フローを説明する。
ユーザが利用設備３００を利用して物品を購入するときに、ユーザが所有するＩＣカード１００を利用設備３００のＩＣカード読書装置にかざして小額決済を行う。ＩＣカード読書装置は、小額決済を行うと共に利用設備３００の管理データ３９３をＩＣカード１００に送信する（図２（１））。ＩＣカード１００は、管理データ３９３を受信して記録する（同（２））。ユーザが前回利用設備を利用したきの管理データ３９３がＩＣカードに残っている場合は、上書きして新しい管理データ３９３にする。
【００１３】
ユーザがゲート管理装置５００のゲートを通過するときに、ゲート管理装置５００に備えられているＩＣカード読取装置にＩＣカードをかざし、デバイス認証が行われ正しければゲートが開く、更にＩＣカード読取装置は管理データ３９３をＩＣカードに要求する（同（３））。ＩＣカード１００は、管理データ３９３の要求を受信して、管理データ３９３がＩＣカード１００に存在していれば管理データ３９３を返信する（同（４））。ユーザがゲート管理装置５００のゲートを通過するときに、ＩＣカード１００に記録されている管理データ３９３がゲート管理装置５００に転送される。ゲート管理装置５００は、ＩＣカード読書装置にＩＣカード１００から管理データ３９３を削除する（同（５））。
【００１４】
ゲート管理装置５００は、管理データ３９３を受信して管理データ３９３に含まれる宛先情報（たとえば、ＵＲＬ）をもとに、宛先情報先に存在する情報処理サーバ装置７００に、管理データ３９３を転送する（同（６））。ユーザがゲート管理装置５００のゲートを通過するときに利用設備３００の管理データ３９３が情報処理サーバ装置７００に転送される。情報処理サーバ装置７００は、管理データ３９３を受信して記憶領域に記録する（同（７））。
【００１５】
このように、利用設備３００をネットワーク接続しなくても、情報処理サーバ装置７００は管理データ３９３を取得できる。
【００１６】
ゲート管理装置５００が設置されている部屋に複数の利用設備３００が設置されている場合、個々にネットワークに接続していなくても、ゲート管理装置５００のゲートをユーザが通過するたびに管理データ３９３を情報処理サーバ装置７００に転送でき、利用状況を把握できる。更にユーザは特段の手続きを行う必要がなくゲートを通過するときにＩＣカードをかざすだけでよく、効率的に管理データ３９３を収集できる。
【００１７】
情報処理サーバ７００に必ず伝えたいメンテナンス情報等を管理データ３９３に含める場合、ＩＣカード１００に記録された管理データ３９３が宛先情報先に転送されているかをチェックする仕組みとして、以下の手法も可能である。
ゲート管理装置５００が管理データ３９３を読取り、ＩＣカード内の管理データ３９３を削除するとともに、転送終了情報をＩＣカード１００に書き込む。転送終了情報には、送り元ＩＤ、管理データＩＤを含めておく。ユーザが再度利用設備３００を使用したときに、利用設備３００は、ＩＣカード１００に記録されている転送終了情報を読取り、送り元ＩＤで利用設備３００のＩＤであることを確認し、管理データＩＤをチェックし管理データ３９３が宛先に転送されたことを確認する。以降利用設備３００は、管理データ３９３の転送をチェックできれば同じ管理データＩＤの管理データ３９３をＩＣカード１００に書き込まない。
【００１８】
図３に管理データ３９３の一例を示す。
宛先情報は、管理データ３９３を転送する転送先のアドレスを記載する。送り元ＩＤは、利用設備３００を特定するための識別番号であり、管理データＩＤは管理データ３９３を特定するための識別番号である。稼動状況として在庫データ、販売個数、売上げデータが記載される。図４は、在庫データ、販売個数等を別々の宛先に送付する場合のデータフォーマットの別の例をである。
【００１９】
利用設備３００は、自動販売機に関わらず、プリンタ、ロッカー、机の引き出し、パソコン等であってもよく、管理データとしてプリント使用枚数、ロッカー／机の引き出しの使用状況、パソコンのログイン、ログアウト情報等を転送してもよい。また、利用設備管理として、自動販売機、プリンタ等が混在して設置されている場合においても、個々の設備の管理データ３９３に宛先情報を設定することによって、それぞれのあて先に個々の利用状況を知らせることができる。また、本発明ではゲートを利用して管理データ３９３を転送していたが、ゲートに限らずネットワークに接続されたＰＣを利用して管理データ３９３を転送させてもよい。
【００２０】
図５は、データ伝達システム１の詳細な構成図である。
データ伝達システム１は、接触型、または非接触型ＩＣカード１００と、利用設備３００と、ネットワーク接続されたゲート管理装置５００と情報処理サーバ装置７００から構成される。
【００２１】
利用設備３００は、ＩＣカード検知手段３１０と、管理データ送信手段３２５と、記憶手段３９０を備える。記憶手段３９０は、管理データ３９３を記憶する。管理データ３９３は、宛先情報（たとえば、ＵＲＬ）を含むデータである。
【００２２】
ＩＣカード検知手段３１０は、ＩＣカード１００を検知する。管理データ送信手段３２５は、前記管理データ３９３を、ＩＣカード１００に送信する。
【００２３】
ＩＣカード１００は、管理データ受信手段１２５と、管理データ保持手段１１０と、管理データ返信手段１３５と、管理データ削除手段１４０と、記憶手段１９０を備える。管理データ受信手段１２５は、利用設備３００から管理データ３９３を受信する。管理データ保持手段１１０は、前記受信した管理データ３９３を記憶手段１９０に保持する。管理データ返信手段１３５は、ゲート管理装置５００から、管理データ送信要求を受信して、管理データを返信する。管理データ削除手段１４０は、前記保持した管理データ３９３を削除する。
【００２４】
ゲート管理装置５００は、管理データ送信要求手段５３５と、管理データ転送手段５４５を備える。
【００２５】
管理データ送信要求手段５３５は、ＩＣカード１００に管理データの送信を要求する。管理データ転送手段５４５は、ＩＣカード１００から管理データを受信して、この管理データに含まれる宛先情報が指定する情報処理サーバ装置７００に管理データを転送する。
【００２６】
情報処理サーバ装置７００は、管理データ受信手段７４５と、管理データ記録手段７５０と、記憶手段７９０を備える。
【００２７】
管理データ受信手段７４５は、ゲート管理装置５００から転送されてきた管理データ３９３を受信する。管理データ記録手段７５０は、前記受信した管理データ３９３を記憶手段７９０に記録する。
【００２８】
管理データ受信手段１２５と、管理データ保持手段１１０と、管理データ返信手段１３５と、管理データ削除手段１４０と、ＩＣカード検知手段３１０と、管理データ送信手段３２５と、管理データ送信要求手段５３５と、管理データ転送手段５４５と、管理データ受信手段７４５と、管理データ記録手段７５０はコンピュータプログラムである。
【００２９】
管理データ３９３は、コンピュータプログラムが可読なデータである。記憶手段１９０と記憶手段３９０と記憶手段７９０とは、半導体メモリや磁気メモリである。
【００３０】
なお、利用設備３００は、複数のＩＣカード１００に、同じ管理データ３９３を送信してもよい。このようにすることで、１枚のＩＣカード１００に、管理データ３９３を送信する場合に比べて、より早く、情報処理サーバ装置７００に、管理データ３９３が送信される可能性が高まる。
【００３１】
更には、利用設備３００は、ＩＣカード認証を行って、管理データ３９３を送信してもよい。あるいは、ＩＣカード１００は、管理データ３９３の受信を受け付けるか、拒否できるか、を選択できるようにしてもよい。
【００３２】
また、ＩＣカード１００は、ゲート管理装置５００から、管理データ３９３を受信して、利用設備３００に、この管理データ３９３を、転送してもよい。
【００３３】
以上詳しく説明したように、本願発明によれば、ＩＣカードに記録された情報は、迅速に利用することが可能になった。また、ＩＣカードに記録された情報を所望の装置に送信することが可能になった。
【図面の簡単な説明】
【００３４】
【図１】データ伝達システムの全体構成
【図２】データ伝達システム１の処理フロー
【図３】管理データの例１
【図４】管理データの例２
【図５】データ伝達システム１の詳細な構成図
【符号の説明】
【００３５】
１  データ伝達システム
１００  ＩＣカード
１１０  管理データ保持手段
１２５  管理データ受信手段
１３５  管理データ返信手段
１４０  管理データ削除手段
１９０  記憶手段
３００  利用設備
３１０  ＩＣカード検知手段
３２５  管理データ送信手段
３９０  記憶手段
３９３  管理データ
５００  ゲート管理装置
５３５  管理データ送信要求手段
５４５  管理データ転送手段
７００  情報処理サーバ装置
７４５  管理データ受信手段
７５０  管理データ記録手段
７９０  記憶手段
【図１】
2008112350.tif 000003
【図２】
2008112350.tif 000004
【図３】
2008112350.tif 000005
【図４】
2008112350.tif 000006
【図５】
2008112350.tif 000007